(57)【要約】【課題】データセンタ内における人物の居場所の特定と、その場所に滞在する許可の有無を容易に判断することを可能とする。【解決手段】監視対象となるエリアに設けられた撮像部と、カラーコードが付されたタグをつけた利用者に許可されたエリアと利用者の識別情報とを対応付けたエリア管理テーブルを記憶する記憶部と、撮像部が撮像した画像からタグを検知し、検知したタグとエリア管理テーブルとに基づいて、利用者がそのエリアに入ることが許可された利用者であるか否かを判定する検知部と、を備える。【選択図】  図１
2015153054.tif 000002
【特許請求の範囲】
【請求項１】
監視対象となるエリアに設けられた撮像部と、
カラーコードが付されたタグをつけた利用者に許可されたエリアと前記利用者の識別情報とを対応付けたエリア管理テーブルを記憶する記憶部と、
前記撮像部が撮像した画像から前記タグを検知し、検知したタグと前記エリア管理テーブルとに基づいて、前記利用者がそのエリアに入ることが許可された利用者であるか否かを判定する検知部と、
を備えることを特徴とするセキュリティエリア管理システム。
【請求項２】
前記検知部が前記許可された利用者でないと判定した場合に、前記撮像部が撮像した画像を前記記憶部に記憶する記録部と、
前記検知部が前記許可された利用者でないと判定した場合に、その利用者に警告する報知部と、
を備えることを特徴とする請求項１に記載のセキュリティエリア管理システム。
【請求項３】
前記記憶部は、前記タグと前記利用者の識別情報とを対応付けた入退管理テーブルを記憶し、
前記記録部は、前記撮像部が撮像した画像と前記入退管理テーブルに記憶されている許可されていない利用者の識別情報とを含むレポートを前記セキュリティエリア管理システムの利用会社に送信するメール送信部、
を備えることを特徴とする請求項１または２に記載のセキュリティエリア管理システム。
【請求項４】
前記記憶部は、前記エリアを示すレイアウトと、前記検知部によって前記タグが検知された時刻と前記利用者の識別情報と前記エリアとを対応付けたタグ検知情報テーブルとを記憶し、
前記記録部は、前記時刻と前記利用者の識別情報と前記エリアとを前記タグ検知情報テーブルに記録し、
前記タグ検知情報テーブルに記録されている前記時刻と前記利用者の識別情報と前記エリアと前記レイアウトとともに画面に表示する表示制御部、
を備えることを特徴とする請求項３に記載のセキュリティエリア管理システム。
【請求項５】
前記記憶部は、前記タグ検知情報テーブルに記録されるレコードを前記エリアごとに時系列に記憶し、
前記記録部は、前記エリアごとに時系列に前記時刻と前記利用者の識別情報と前記エリアとを前記タグ検知情報テーブルに記録し、
前記表示制御部は、前記レイアウトと、前記時系列に記憶されたタグ検知情報テーブルとに基づいて、前記利用者の移動経路を画面に表示する、
ことを特徴とする請求項４に記載のセキュリティエリア管理システム。
【請求項６】
前記エリア管理テーブルは、前記利用者に許可されたエリアと前記利用者の識別情報とともに前記利用者が前記エリアに許可された時間帯を記憶し、
前記検知部は、前記時間帯のみ前記エリアに入ることが許可された利用者であると判定する、
ことを特徴とする請求項１〜５のいずれか１項に記載のセキュリティエリア管理システム。
【請求項７】
監視対象となるエリアを撮像するステップと、
撮像した画像からカラーコードが付されたタグを検知するステップと、
検知したタグと前記タグをつけた利用者に許可されたエリアと前記利用者の識別情報とを対応付けたエリア管理テーブルとに基づいて、前記利用者がそのエリアに入ることが許可された利用者であるか否かを判定するステップと、
を含むことを特徴とするセキュリティエリア管理方法。
【発明の詳細な説明】
【技術分野】
【０００１】
本発明は、セキュリティエリアを管理するセキュリティエリア管理システム、セキュリティエリア管理方法に関する。
【背景技術】
【０００２】
従来から、セキュリティの管理が必要となるデータセンタに入館・退館する人物を様々な方法によって監視する技術が存在する。例えば、入館を許可されていない人物の特定、あるいはデータセンタ内の許可されたエリア外での行動を制限するために、他者から見える位置に入館証あるいは腕章を着用させ、データセンタの従業員あるいは監視カメラが監視することによって、その人物の行動を制限している。また、例えば、特許文献１では、人物を監視するとともに、生体情報や識別コードを取得して利用者を認証することによってセキュリティを高めている。
【先行技術文献】
【特許文献】
【０００３】
【特許文献１】特開２０１２−０３３０４８号公報
【発明の概要】
【発明が解決しようとする課題】
【０００４】
しかしながら、上記従来技術では、監視カメラが撮像した画像を警備員が常時監視しており、入館者に対するセキュリティ違反の判断は、その警備員個人の判断に依存している。したがって、多くの入館者の多様な用件に基づく行動を正しく制御することは困難である。また、特許文献１に記載された技術では、あらかじめ入館者の生体情報や識別コードを登録しておく必要があり、さらにデータセンタ内の複数エリアにおける行動を許可する場合には、エリアごとに生体情報や識別コードの認証が必要となる。このため、入館者に対するセキュリティ違反を判断するために手間のかかるシステムを構築する必要がある。
【０００５】
本発明は、上記に鑑みてなされたものであって、データセンタ内における人物の居場所の特定と、その場所に滞在する許可の有無を容易に判断することが可能なセキュリティエリア管理システム、セキュリティエリア管理方法を提供することを目的とする。
【課題を解決するための手段】
【０００６】
上述した課題を解決し、目的を達成するために、本発明にかかるセキュリティエリア管理システムは、監視対象となるエリアに設けられた撮像部と、カラーコードが付されたタグをつけた利用者に許可されたエリアと前記利用者の識別情報とを対応付けたエリア管理テーブルを記憶する記憶部と、前記撮像部が撮像した画像から前記タグを検知し、検知したタグと前記エリア管理テーブルとに基づいて、前記利用者がそのエリアに入ることが許可された利用者であるか否かを判定する検知部と、を備えることを特徴とするセキュリティエリア管理システムとして構成される。
【０００７】
また、本発明は、上記セキュリティエリア管理システムで行われるセキュリティエリア管理方法としても把握される。
【発明の効果】
【０００８】
本発明によれば、データセンタ内における人物の居場所の特定と、その場所に滞在する許可の有無を容易に判断することが可能となる。
【図面の簡単な説明】
【０００９】
【図１】本実施の形態におけるセキュリティエリア管理システムの構成例を示す図である。
【図２】管理ＰＣの機能的な構成を示すブロック図である。
【図３】監視サーバの機能的な構成を示すブロック図である。
【図４】記憶部が記憶するデータの例を示す図である。
【図５】エリア管理テーブルの構成例を示す図である。
【図６】入退管理テーブルの構成例を示す図である。
【図７】タグ検知情報テーブルの構成例を示す図である。
【図８】入館者が着用するタグの例を示す図である。
【図９】入館処理の処理手順を示すフローチャートである。
【図１０】タグ検知処理の処理手順を示すフローチャートである。
【図１１】退館処理の処理手順を示すフローチャートである。
【図１２】データセンタ利用各社に対して送付されるレポートの例を示す図である。
【図１３】監視カメラがセキュリティエリアの画像を撮像する様子を示す図である。
【図１４】表示制御部が出力する画面の例を示す図である。
【図１５】表示制御部が出力する画面の例を示す図である。
【図１６】エリア管理テーブルの構成例を示す図である（変形例）。
【発明を実施するための形態】
【００１０】
以下に添付図面を参照して、本発明にかかるセキュリティエリア管理システム、セキュリティエリア管理方法の実施の形態を詳細に説明する。
【００１１】
図１は、本実施の形態におけるセキュリティエリア管理システム１０００の構成例を示す図である。図１に示すように、セキュリティエリア管理システム１０００は、管理ＰＣ１００と、監視サーバ２００と、監視カメラ３００およびパトランプ４００およびスピーカ５００とがセンタ内のネットワークＮ１によって接続されている。また、監視サーバ２００は、本システムを適用したデータセンタを利用する各社のシステムに、ネットワークＮ２を介して接続されている。なお、ネットワークＮ１は、ＬＡＮ（Local Area Network）等の構内回線網であり、インターネット等の公衆回線網である。
【００１２】
管理ＰＣ１００は、本システムにより監視対象となるエリア（セキュリティエリア）を監視する管理者（例えば、警備員）が使用する端末であり、一般的なコンピュータから構成される。
【００１３】
図２は、管理ＰＣ１００の機能的な構成を示すブロック図である。図２に示すように、管理ＰＣ１００は、入力受付部１１０と、表示部１２０と、通信部１３０と、制御部１４０とを有して構成されている。
【００１４】
入力受付部１１０は、セキュリティエリアや入退館者の設定等、本システムで使用する様々な情報の入力を受け付ける。表示部１２０は、監視サーバ２００による監視結果や入力受付部１１０が受け付けた情報を表示する。通信部１３０は、監視サーバ２００との間で、本システムで使用される各種データを送受信する。制御部１４０は、管理ＰＣ１００の各部の動作を制御する。なお、以下では具体的な記載は省略しているが、管理ＰＣ１００の各機能は、実際には、例えば、ＣＰＵ（Central Processing Unit）等の演算装置がＲＯＭ（Read Only Memory）等のメモリに記憶されているプログラムを実行することにより実現される。
【００１５】
監視サーバ２００は、本システムにより監視対象となるセキュリティエリアを監視するサーバであり、一般的なサーバから構成される。
【００１６】
図３は、監視サーバ２００の機能的な構成を示すブロック図である。図３に示すように、監視サーバ２００は、記憶部２１０と、入退館処理部２２０と、検知部２３０と、記録再生部２４０と、報知制御部２５０と、メール送受信部２６０と、表示制御部２７０と、通信部２８０とを有して構成されている。
【００１７】
記憶部２１０は、図４に示すように、エリア管理テーブル２１０１と、入退管理テーブル２１０２と、タグ検知情報テーブル２１０３と、画像データ２１０４とを記憶する。エリア管理テーブル２１０１は、セキュリティエリアを管理するテーブルである。入退管理テーブル２１０２は、データセンタに入退館する人物を管理するテーブルである。タグ検知情報テーブル２１０３は、監視カメラ３００によって撮像された画像から検知されたタグを管理するテーブルである。画像データ２１０４は、監視カメラ３００が撮像した静止画像や動画を記憶したデータである。
【００１８】
図５は、エリア管理テーブル２１０１の構成例を示す図である。図５に示すように、エリア管理テーブル２１０１は、データセンタを利用する会社名を示す社名と、データセンタにおいて滞在や行動が許可されたセキュリティエリアとが対応付けて記憶されている。また、セキュリティエリアとして、通路（通路１、通路２、通路３、通路４）と、ルームＡ（Ａ−１、Ａ−２）と、ルームＢ（Ｂ−１、Ｂ−２）とが対応付けて記憶されている。
【００１９】
図５では、例えば、データセンタを利用するＡ社は、通路1〜３、およびルームＡのＡ−１エリアで行動することは許可されているが、通路４、およびその他のルームおよびエリアでは行動が許可されていないことを示している。他の各社Ｂ〜Ｄについても、各社の基準に従って記憶されている。なお、エリア管理テーブル２１０１は、データセンタを運営し、本システムを管理する会社と、上述した各社との間で、各社が行動可能なエリアがあらかじめ定められ、本テーブルに記憶される。また、本実施例では、セキュリティエリアの例として、通路やルームを挙げているが、エントランス、ロビー、車寄せ等、様々なエリアをセキュリティエリアとして設定することも可能である。
【００２０】
図６は、入退管理テーブル２１０２の構成例を示す図である。図６に示すように、入退管理テーブル２１０２は、入館者を識別するための入館ＩＤと、その入館者名と、その入館者の所属または管理元となる会社を示す社名（例えば、委託を受けてデータセンタに入館する場合、データ管理テーブルに記憶されている社名）と、警備室等で入館者に渡されるタグを識別するためのタグＩＤとが対応付けて記憶されている。図６では、例えば、入館ＩＤがｘｘｘｘｘ１で識別されるＡ社の入館者１は、タグＩＤ００００１で識別されるタグが入館時に貸与されたことを示している。なお、以下では特に説明していないが、実際には、タグＩＤは、実体データであるカラーコード（後述）に対応付けられている。
【００２１】
図７は、タグ検知情報テーブル２１０３の構成例を示す図である。図７に示すように、タグ検知情報テーブル２１０３は、入館ＩＤと、セキュリティエリアと、そのエリアでタグが検知された時刻と、そのタグが検知されてから検知できなくなるまでの経過時間と、そのエリアにおける入館者の状態を示す検知状態と、許可されていないセキュリティエリアに入った際に記録された静止画の有無を示す静止画記録有無と、許可されていないセキュリティエリアに入った際に記録された動画の有無を示す動画記録有無とが履歴で対応付けて記憶されている。
【００２２】
図７では、例えば、入館ＩＤがｘｘｘｘｘ１によって識別される入館者は、「受付」で示されるセキュリティエリア(例えば、データセンタの入館ゲート付近にある警備室）に立ち寄ってタグの貸与を受けて上着等にそのタグを着用して入館し、その入館ゲートに設置された監視カメラ３００が撮像した画像からそのタグが検知された時刻が１０時１０分であったことを示している。その後、その入館者は許可されたセキュリティエリア通路１を１０時１５分に入り、その５秒後にそのエリアを通り抜けたことを示している。さらに、その入館者は次のセキュリティエリア通路２を１０時１８分に入り、その１０秒後にそのエリアを抜けたことを示している。次にその入館者は、本来であればセキュリティエリアＡ−１に入るべきところ、１０時２５分から６０秒間誤ってセキュリティエリアＡ−２に入ったため、許可されていないエリアであることを示す「エリア外」が記録され、その際に静止画および動画が撮像されたことを示している。以下、同様に、全ての入館者に対して、入館から退館まで同様の内容が時系列に記録されている。
【００２３】
ここで、データセンタの入館者が着用するタグについて説明する。図８は、入館者が着用するタグの例を示す図である。図８に示すように、タグは入館証に付された複数の色彩から構成されたカラーコードであり、例えば、複数の色を二次元配列したカメレオンコードである。本実施例では、データセンタ内のセキュリティエリアに入って様々な作業をする入館者が胸や腕等に着用するタグが付された入館証を、セキュリティエリアに設けられた監視カメラ３００が撮像し、撮像された画像から検知されたカメレオンコードのようなカラータグを識別することによって、入館者のデータセンタ内のセキュリティエリアにおける滞在や行動を監視している。したがって、従来技術のように、人手による監視や、手間のかかるシステムを構築することなく、データセンタ内における人物の居場所の特定と、その場所に滞在する許可の有無を容易に判断することができる。続いて、図３に戻って、入退館処理部２２０以降の各部について説明する。
【００２４】
入退館処理部２２０は、入館者の入館手続きおよび退館者の退館手続きをする処理部である。検知部２３０は、監視カメラ３００が撮像した画像からタグを検知する処理部である。再生記録部２４０は、監視カメラ３００が撮像した静止画像や動画を記録し、または再生する処理部である。報知制御部２５０は、監視カメラ３００が撮像した画像から許可されていないタグが検知された際に、パトランプ４００やスピーカ５００を動作させる処理部である。メール送受信部２６０は、データセンタの利用各社にデータセンタへの入館実績を示すレポートを送信したり、そのレポートに対する返信を受信する処理部である。表示制御部２７０は、タグを着用した入館者のセキュリティエリアにおける位置や移動経路を示すマッピング情報を管理ＰＣ１００の画面上に表示する処理部である。通信部２８０は、監視サーバ２００と、管理ＰＣ１００やデータセンタ利用各社のシステムとの間で、本システムで使用される各種データを送受信する。これらの各部が行う具体的な処理は、フローチャートを用いて後述する。続いて、図１に戻って、監視カメラ３００以降の装置について説明する。
【００２５】
監視カメラ３００は、入館者が着用する入館証に付されたタグを撮像するカメラである。パトランプ４００は、許可されていないセキュリティエリアに入った入館者に対して視覚により警告を知らせる警告灯である。スピーカ５００は、許可されていないセキュリティエリアに入った入館者に対して音声により警告を知らせる装置である。なお、本実施例では、図１に示すように、セキュリティエリアごとに、監視カメラ３００、パトランプ４００、スピーカ５００がそれぞれ設けられているが、例えば、１つのセキュリティエリアが広範囲である場合には、そのエリアにこれらを複数設置したり、あるいは１つのセキュリティエリアが狭い範囲である場合には、複数のエリアにそれぞれ１つ設置してもよい。また、パトランプ４００およびスピーカ５００のいずれか一方を監視カメラ３００と共に設置してもよい。続いて、本システムで行われる処理について説明する。
【００２６】
図９は、セキュリティエリア管理システム１０００が行う入館処理の処理手順を示すフローチャートである。以下では、図５に示したエリア管理テーブル２１０１があらかじめ監視サーバ２００の記憶部２１０に記憶されているものとする。
【００２７】
図９に示すように、入館処理では、管理ＰＣ１００の入力受付部１１０は、管理者からの入館者に対する入館情報（例えば、入館日、入館目的、訪問先等の情報）や本人確認情報（会社名、本人氏名等の情報）を受け付け、制御部１３０は、これらの情報を監視サーバ２００に送信する（ステップＳ９０１）。
【００２８】
監視サーバ３００の入退館処理部２２０は、記憶部２１０に記憶されている入退管理テーブル２１０２の中で割り当て済みとなっていないタグのタグＩＤを特定し、そのタグＩＤを管理ＰＣ１００に送信し、管理ＰＣ１００の制御部１３０がそのタグＩＤのタグを発行し、表示部１２０がそのタグＩＤを画面上に表示する（ステップＳ９０２）。管理者は、そのタグＩＤが付されたタグを入館者に渡し、入館者はそのタグを自身の胸や腕に着用し、入館ゲート（不図示）を通過すると、入館ゲートに設置された監視カメラ３００が、入館者が着用したタグを撮像する（ステップＳ９０３）。このステップＳ９０３の処理が終了すると、図９に示した入館処理が終了する。
【００２９】
図１０は、入館処理の終了後に行われるタグ検知処理の処理手順を示すフローチャートである。以下では、入館者が入館ゲートを通過後、通路１、通路２を通過し、その入館者が許可されたエリアであるセキュリティエリアＡ−１に向かうものとする。
【００３０】
図１０に示すように、タグ検知処理では、まず、検知部２３０が入館ゲートに設置された監視カメラ３００が撮像した画像の中からタグを読み取り、記録再生部２４０がその監視カメラ３００が設置されているエリア、タグを読み取った時刻、および検知状態をタグ検知情報テーブル２１０３に記録する（ステップＳ１００１）。
【００３１】
具体的には、検知部２３０は、入退管理テーブル２１０２の中から、撮像された画像から読み取ったカラーコードを識別するタグＩＤに対応する入館ＩＤを読み取る。記録再生部２４０は、その入館ＩＤ、その監視カメラ３００が設置されているセキュリティエリア、タグが検知された時刻および検知された時刻からの経過時間を、それぞれ、タグ検知情報テーブル２１０３の入館ＩＤ、セキュリティエリア、時刻および経過時間に記録する。さらに、検知部２３０は、そのタグＩＤに対応する社名を読み取ってエリア管理テーブル２１０１を参照し、その社名の会社が許可されたセキュリティエリアを読み取る。そして、検知部２３０は、現在のセキュリティエリアがその会社が許可されたエリアであるか否かを判定する。記録再生部２４０は、検知部２３０が判定した結果（許可、エリア外）をタグ検知情報テーブル２１０３の検知状態に記録する。なお、図７に示した例では、入退館時には、入館者が入館ゲート等に滞在することがないため、経過時間については「−」として記録される。
【００３２】
以降、入館者が通路１、通路２を通過し、ステップＳ１００１の場合と同様に、検知部２３０がこれらの通路１、通路２に設置された監視カメラ３００が撮像した画像の中からタグを読み取るとともに入館者が許可されたセキュリティティエリアに入っていないかを判定し、記録再生部２４０がタグ検知情報テーブル２１０３に記録する（ステップＳ１００２、Ｓ１００３、Ｓ１００４）。
【００３３】
これらのステップＳ１００２〜Ｓ１００４の処理が行われると、それぞれのステップでの処理終了後に、検知部２３０は、入館者が滞在や行動したエリアが許可されたエリアであるか否かを判定し（ステップＳ１００５）、許可されたエリアであると判定した場合（ステップＳ１００５；Ｙｅｓ）、その後、ステップＳ１００１の場合と同様に、記録再生部２４０がタグ検知情報テーブル２１０３の内容を記録する（ステップＳ１００６）。ステップＳ１００６の処理が終了すると、図１０に示した検知処理が終了する。
【００３４】
一方、検知部２３０が、許可されたエリアでないと判定した場合（ステップＳ１００５；Ｎｏ）、すなわち、タグ検知情報テーブル２１０３の検知状態がエリア外となっていると判定した場合、記録再生部２４０は、そのセキュリティエリアに設けられた監視カメラ３００が撮像した静止画像、動画を記憶部２１０に画像データ２１０４として記憶させ、タグ検知情報テーブル２１０３の静止画記録有無および動画記録有無に「有」を記録するとともに（ステップＳ１００７、Ｓ１００８）、タグ検知情報テーブル２１０３の検知状態に「エリア外」を記録する（ステップＳ１００９）。
【００３５】
また、検知部２３０が、許可されたエリアでないと判定した場合（ステップＳ１００５；Ｎｏ）、報知制御部２４０は、パトランプ４００を鳴動させるとともに、スピーカ５００から警告音声を報知させる（ステップＳ１０１０、Ｓ１０１１）。図７に示した例では、入館者が許可されていないセキュリティエリアであるルームＡ−２に誤って入ったため、タグ検知情報テーブル２１０３に、入館者が許可されていないセキュリティエリアＡ−２に入ったことが記録され、そのときの静止画像や動画が画像データ２１０４として記憶され、パトランプ４００による鳴動、スピーカ５００による警告音声の報知がなされている。
【００３６】
なお、本実施例では、入館→通路→セキュリティルーム→退館の順で入館者が移動する前提で説明したため、上述したＳ１００２〜Ｓ１００４の順で処理を記載した。しかし、実際には、これらのそれぞれのステップでは、監視カメラ３００は常時セキュリティエリアを撮像し、検知部２３０は撮像された画像からタグを検知し、そのタグが許可されていないセキュリティエリアに設置された監視カメラ３００によって撮像されている場合には、その都度静止画像や動画の記録、パトランプ４００による鳴動、スピーカ５００による警告の報知がなされる。
【００３７】
図１１は、セキュリティエリア管理システム１０００が行う退館処理の処理手順を示すフローチャートである。以下では、図５に示したエリア管理テーブル２１０１があらかじめ監視サーバ２００の記憶部２１０に記憶されているものとする。
【００３８】
図１１に示すように、退館処理では、管理ＰＣ１００の入力受付部１１０は、管理者からの入館者に対する退館情報（例えば、返却された入館証のタグＩＤ）を受け付け、制御部１３０は、これらの情報を監視サーバ２００に送信する（ステップＳ９０１）。
【００３９】
監視サーバ３００の入退館処理部２２０は、記憶部２１０に記憶されている入退管理テーブル２１０２の中で割り当て済みとなっているタグのタグＩＤを特定し、そのタグＩＤについて入退管理テーブル２１０２に記録されている内容をクリアする（ステップＳ９０２）。このステップＳ９０２の処理が終了すると、図９に示した入館処理が終了する。
【００４０】
図９から図１１に示したように、入館者が許可されていないセキュリティエリアに入った場合には、その情報が静止画像や動画とともにタグ検知情報テーブル２１０３に記録され、入館者が許可されたセキュリティエリアに入った場合においても、タグ検知情報テーブル２１０３にその記録が残されることとなる。このため、セキュリティエリア管理システム１０００では、データセンタ利用各社に対して、セキュリティエリアへの入館者の入館実績をレポートすることも可能である。
【００４１】
図１２は、データセンタ利用各社に対して送付されるレポートの例を示す図である。図１２に示すように、監視サーバ２００のメール送受信部２６０は、あらかじめ登録されているデータセンタ利用会社（例えば、Ａ社）を宛先として入館実績レポートを送付する。図１２では、２０１３年１１月０１日におけるセキュリティエリアＡ−２に対するレポートの例を示しており、１１時００分から１１時０２分までの間、入館者２が違反して入ったことを示している。データセンタ利用各社は、このようなレポートを受け取ることにより、例えば、会社が委託した作業員がデータセンタ内のＡ社のセキュリティエリアで作業を遂行したか、さらにその作業にかかった時間を把握することができる。また、会社が委託していない作業員が違反してＡ社のセキュリティエリアに入ったことを容易に確認することができる。また、作業員にとっては、作業の開始や終了の際に委託されたデータセンタ利用会社に自ら報告する必要がなくなる。
【００４２】
また、本システムでは、監視カメラ３００が、常時セキュリティエリアの画像を撮像しているため、例えば、図１３に示すように、Ａ社のシステムエンジニアが許可されているセキュリティエリアＲ１以外のセキュリティエリアＲ２に入った場合には、その都度、タグ検知情報テーブル２１０３には、検知状態には「エリア外」であることが記録されるとともに、静止画像や動画が画像データ２１０４として記録再生部２４０によって記憶部２１０に記憶される。また、管理者からの指示あるいはその記録終了後等任意のタイミングで、記録再生部２４０が記録した静止画像や動画を再生する。したがって、データセンタの管理者は違反してセキュリティエリアに入った入館者の行動を容易に把握することができる。なお、上述した静止画像や動画を、データセンタ利用各社へのレポートに添付してもよい。
【００４３】
さらに、本システムでは、図７に示したように、入館者が着用したタグが付された入館証を検知し、その記録がタグ検知情報テーブル２１０３に記憶されている。したがって、記憶部２１０がデータセンタ内のレイアウト図を記憶している場合には、例えば、図１４に示すように、表示制御部２７０が、そのレイアウト図にタグ検知情報テーブル２１０３に記憶されている入館者の現在の位置を重ね合わせた画面を生成し、管理ＰＣ１００の表示部１２０に表示させてもよい。図１４に示す例では、入館者１〜４がそれぞれのセキュリティエリアに入っているが、入館者４は「エリア外」であるため、表示制御部２７０はが入館者４をマーキングして強調表示している。なお、図１４では特に示していないが、入館者のアイコンとともに入館者名および最新の検知時刻を表示させてもよい。
【００４４】
さらに、表示制御部２７０は、図１５に示すように、データセンタ内のレイアウト図に入館者ごとの移動経路を示す画面を生成し、管理ＰＣ１００の表示部１２０に表示させてもよい。図１５に示す例では、入館者２は、１０時１５分に入館ゲートを通過し、通路１、通路２を、それぞれ１０時１７分、１０時１８分に通過したものの、１０時２５分には許可されていないセキュリティエリアＡ−１に入り、その後、１１時１０分に許可されているセキュリティエリアＡ−２に入ったことを示している。このとき、表示制御部２７０は、図１４に示した場合と同様に、「エリア外」としてタグ検知情報テーブル２１０３に記憶されている時刻に対応するアイコンをマーキングして強調表示している。
【００４５】
このように、本システムでは、監視カメラ３００によるタグの識別により、論理的にセキュリティエリアを構築できる。したがって、従来のようにセキュリティエリアを専用区画化して管理する場合と比較して、安価かつより柔軟なエリア管理が可能となる。また、例えば、共同利用されているデータセンタや複数部門が同居しているオフィスフロアなど、物理的な障壁は無いが部外者による立ち入りを防止したい場所に対する牽制が可能となる。
【００４６】
さらに、許可されないエリアへの滞在を検出すると、パトランプ４００やスピーカ５００により警告を発し、入館者の行動を制限できる。また、許可されていないセキュリティエリアへの滞在が検知されると、静止画や動画の記録を開始し、違反者の報告や違反行動を画像や映像により詳細に確認することができる。
【００４７】
また、セキュリティエリアごとに設置された監視カメラ３００が撮像した画像から読み取られたタグやその時刻がタグ検知情報テーブル２１０３に記録されるので、入館者のデータセンタ内（あるいはセキュリティエリア）の滞在位置や滞在時間をおおよそ把握したり、入館者の移動経路を追跡できる。
【００４８】
なお、本実施例では、エリア管理テーブル２１０１に、データセンタを利用する会社名を示す社名ごとに、データセンタにおいて滞在や行動が許可されたセキュリティエリアを対応付けて記憶したが、例えば、セキュリティエリアごとに、各社が許可された時間帯を記憶してもよい。図１６では、Ａ〜Ｄの各社は、許可されたセキュリティエリアに対して２４時間入ることが可能であるが、Ｅ社については、通路１のみ入ることが許可され、検知部２３０は、その利用者については、９時から１２時の時間帯のみ許可することを示している。例えば、データセンタにある時間帯のみ出入りする物資の搬入業者など、データセンタを利用する会社の業種によって、許可されるセキュリティエリアを詳細に設定することができる。
【００４９】
本発明は上記した実施例に限定されるものではなく、様々な変形例が含まれる。例えば、本実施の形態では、図１２に示したレポートや図１４、図１５に示した画面を、データセンタ利用各社のシステムや管理ＰＣ１００に出力することとしたが、例えば、データセンタ利用各社の管理者やデータセンタの管理者が使用するスマートフォン等の携帯端末に出力してもよい。この場合、これらの管理者は、任意の場所でレポートや画面を確認することができる。
【符号の説明】
【００５０】
１０００              セキュリティエリア管理システム
１００                管理ＰＣ
１１０                入力受付部
１２０                表示部
１３０                通信部
１４０                制御部
２００                監視サーバ
２１０                記憶部
２１０１              エリア管理テーブル
２１０２              入退管理テーブル
２１０３              タグ検知情報テーブル
２１０４              画像データ
２２０                入退館処理部
２３０                検知部
２４０                記録再生部
２５０                報知制御部
２６０                メール送受信部
２７０                表示制御部
２８０                通信部
３００                監視カメラ
４００                パトランプ
５００                スピーカ
Ｎ１、Ｎ２            ネットワーク。
【図１】
2015153054.tif 000003
【図２】
2015153054.tif 000004
【図３】
2015153054.tif 000005
【図４】
2015153054.tif 000006
【図５】
2015153054.tif 000007
【図６】
2015153054.tif 000008
【図７】
2015153054.tif 000009
【図８】
2015153054.tif 000010
【図９】
2015153054.tif 000011
【図１０】
2015153054.tif 000012
【図１１】
2015153054.tif 000013
【図１２】
2015153054.tif 000014
【図１３】
2015153054.tif 000015
【図１４】
2015153054.tif 000016
【図１５】
2015153054.tif 000017
【図１６】
2015153054.tif 000018